(57)【要約】【課題】  人やモノの、動作の精密解析や、複数の動画の同時比較解析をしようとするとき、対象映像を、解析ソフトがダウンロードされたコンピューターにいったん取り込み、それをテレビモニター等で見るものだが、コンピューターへの映像の取り込みにも、テレビモニターでの再生にも、かなり高度な専門知識と作業が要求される。また、解析ソフトのコンピューターへのダウンロードにも知識が必要。  それを、ワンタッチのボタン操作で動画残像解析や動画同時比較解析が出来，そして再生できる「Ｓ−Ｂｏｘ」を開発した。【解決手段】  「Ｓ−Ｂｏｘ」は、対象映像の取り込みから解析、再生までを、全て、ワンタッチのボタン操作で出来る。人やモノの動きの精密解析や複数の映像の同時解析が専門家でなくとも誰にでも出来るのが特徴である【選択図】図１
2013198147.tif 000002
【特許請求の範囲】
【請求項１】
「Ｓ−Ｂｏｘ」〔図２〕は、人やモノの動作の精密残像解析や複数の動画の同時比較解析を、ワンタッチのボタン操作で行います。また、同じく，その解析映像再生もワンタッチのボタン操作で可能とするものである。デジタルビデオカメラ等のデバイスによって撮影〔図４〕，あるいは、メモリーカード等に保存された人やモノの映像〔図５〕を、ファイヤーワ
2013198147.tif 000005
へ移動する等、任意の方法で「Ｓ−Ｂｏｘ」内に取り込み、ロードされ、そして、解析します。
2013198147.tif 000006
タッチの操作で出来るのである。
2013198147.tif 000007
【発明の詳細な説明】
【技術分野】
【０００１】  人やモノの、動きの精密残像解析や、複数の動画の同時比較解析動画を、パソコンや、その専門知識がなくとも、同一画面内で同時にその場で再生できる装置である。
【背景技術】
【０００２】  従来は、パソコンやその専門知識が必要。電源のない場所（撮影現場等）では、再生が非常に困難。
【発明が解決しようとする課題】
【０００３】  人やモノ、その動きの精密解析や、複数の動画の同時比較解析映像を再生をしようとしたとき、従来は、その解析ソフトの組み込まれたパソコンと、加えて、その専門知識がなければ、解析映像の再生は非常に困難であった。また、電源のない場所（野外等）での再生も同じく非常に困難である。撮影現場、その場での解析が求められる分野では解析映像の再生が不可能であった。本発明は、それらの欠点を全て解決せしめたものである。
【課題を解決するための手段】
【０００４】  本発明、携帯型動画精密残像解析、動画比較解析再生装置「Ｓ−Ｂｏｘ」のモニター画面内のワンタッチボタンで、「Ｓ−Ｂｏｘ」に対象動画を簡単に取り込み、そして、再生す
2013198147.tif 000003
対象動画を、ビデオカメラにフィードバックして、ビデオカメラのモニター画面〔図２２〕でも解析画像を見ることも出来る。ＴＶモニター〔図２３〕での再生も可。
2013198147.tif 000004
【発明の効果】
【０００５】  すでに、社会の多くの分野で、人やモノの動きの精密残像解析や、複数の動画の同時比較解析が行われております。この発明は、パソコンや、その専門知識がなくとも、簡単に、尚且つ、対象となる人やモノの撮影現場や、電源のない場所など、どでも再生、分析が出来、飛躍的な効果を生みます。特に、分析結果の即効性を求められる全てのスポーツのコーチングや、医療のリハビリテーション等々、その驚異的な効果が期待でき用途は無限に広がる。
【図面の簡単な説明】
【０００６】
【図１】本発明「Ｓ−Ｂｏｘ」のハードウエアー構成図
【図２】「Ｓ−Ｂｏｘ」の外観，表，裏，内面、横面、及び仕様
【図３】「Ｓ−Ｂｏｘ」ソフトウエアー設計プロチャート
【図４】「Ｓ−Ｂｏｘ」とＣａｍｃｏｒｄｅｒと接続ケーブルＦｉｒｅｗｉｒｅ
【図５】「Ｓ−Ｂｏｘ」とＣａｍｃｏｒｄｅｒとＳＤメモリーカード
【図６】「Ｓ−Ｂｏｘ」のモニター画面。対象映像のＣａｍｃｏｒｄｅｒからの移動、取り込みボタン、「Ｃｏｐｙ  Ｃｌｉｐｓ  ｆｒｏｍ  Ｃａｍｃｏｒｄｅｒ」
【図７】「Ｃｏｐｙ  Ｃｌｉｐｓ  ｆｒｏｍ  Ｃａｍｃｏｒｄｅｒ」ボタンを押して，ビデオカメラから対象絵像を「Ｓ−Ｂｏｘ」にコピーする。
【図８】２つの対象映像のロード開始ボタン、「Ｌｏａｄ  Ｃｌｉｐ  Ａ」、「Ｌｏａｄ  Ｃｌｉｐ  Ｂ」が新たに表示。
【図９】「Ｌｏａｄ  Ｃｌｉｐ  Ａ」ボタンを押して対象映像のロード。
【図１０】ファイルプラウザが起動してロードする映像が選べるようになる。
【図１１】「Ｃｌｉｐ  Ａ」の映像を選ぶ。
【図１２】「Ｃｌｉｐ  Ａ」ロード完了。
【図１３】もう一つの対象映像「Ｃｌｉｐ  Ｂ」を選ぶ。
【図１４】「Ｓ−Ｂｏｘ」にロードされた二つの対象映像のモニター画面。新たに、「Ａｎａｌｙｚｅ（解析）」ボタンが表示。
【図１５】「Ａｎａｌｙｚｅ」ボタンを押して対象映像を解析。
【図１６】対象映像を解析中。
【図１７】「Ｓ−Ｂｏｘ」の画像解析後のモニター画面。右下に目的の解析映像が表示。新たに、解析映像を再生する、「Ｐｌａｙ  Ｒｅｓｕｌｔ」ボタンと、デジタルビデオカメラに映像を戻す「Ｅｘｐｏｒｔ  ｔｏ  Ｃａｍｃｏｒｄｅｒ（ビデオカメラに解析映像を戻す）」ボタンが表示。
【図１８】「Ｐｌａｙ  Ｒｅｓｕｌｔ（再生）」を押して「Ｓ−Ｂｏｘ」のモニター画面で再生。
【図１９】「Ｓ−Ｂｏｘ」のモニター画面。解析後の映像をモニター画面で再生。
【図２０】「Ｅｘｐｏｒｔ  ｔｏ  Ｃａｍｃｏｒｄｅｒ（ビデオカメラに解析映像を戻す）」ボタンを押してビデオカメラに出力。
【図２１】ビデオカメラに取り込まれた解析画像のモニター画面。
【図２２】対象映像、同時比較解析映像再生中のビデオカメラのモニター画面。
【図２３】対象絵像をＴＶモニターで再生中。
【図２４】残像解析開始の「Ｓ−Ｂｏｘ」のモニター画面。取り込み，コピーされた残像解析対象映像と「Ｌｏａｄ  ＣｌｉｐＡ」ボタン。
【図２５】「Ｓ−Ｂｏｘ」のモニター画面。ロードされた対象映像と，新たに，「Ｓｅｌｅｃｔ  Ｒｅｇｉｏｎ（映像を選択）」ボタンと「Ａｎａｌｙｚｅ（解析）」ボタンが表示。
【図２６】「Ｓｅｌｅｃｔ  Ｒｅｇｉｏｎ」ボタンを押して映像さ解析準備。
【図２７】対象映像の選択。
【図２８】「Ａｎａｌｙｚｅ」ボタンを押して解析開始。
【図２９】解析中。
【図３０】「Ｓ−Ｂｏｘ」モニター画面の右下に，目的の残像解析映像が表示される。また、「Ｐｌａｙ  Ｒｅｓｕｌｔ」と「Ｅｘｐｏｒｔ  ｔｏ  Ｃａｍｃｏｒｄｅｒ」ボタンが表示。
【図３１】「Ｐｌａｙ  Ｒｅｓｕｌｔ」ボタンを押して，「Ｓ−Ｂｏｘ」モニター画面で残像解析映像を再生。
【発明を実施するための形態】
【０００７】１．複数動画同時比較解析
２つの対象映像「Ｃｌｉｐ  Ａ」と「Ｃｌｉｐ  Ｂ」の同時比較動画解析の手順を解説する。
「Ｓ−Ｂｏｘ」の電源ボタン（１）を押して電源をを入れる〔図２〕
ＡＶ接続ケーブル、ＦｉｒｅＷｉｒｅ〔図４〕を「Ｓ−Ｂｏｘ」のＡＶケーブル接続端子（６）にセットしてビデオカメラの電源を入れ「Ｓ−Ｂｏｘ」と接続するか、又は、ＳＤメモリーカード〔図５〕を「Ｓ−Ｂｏｘ」のメモリーカード端子（８）にセットします。「Ｓ−Ｂｏｘ」のモニター画面（４）の「Ｃｏｐｙ  Ｃｌｉｐｓ  ｆｒｏｍ  Ｃａｍｃｏｒｄｅｒ」ボタン〔図７〕を押して、対象映像２つをビデオカメラから「Ｓ−Ｂｏｘ」に移動、取り込みます。「Ｓ−Ｂｏｘ」のモニター画面に２つの対象映像「Ｃｌｉｐ  Ａ」、「Ｃｌｉｐ  Ｂ」の画面と「Ｌｏａｄ  Ｃｌｉｐ  Ａ」、「Ｌｏａｄ  Ｃｌｉｐ  Ｂ」のボタンが表示される〔図８〕。
「Ｌｏａｄ  Ｃｌｉｐ  Ａ」ボタンを押して映像をロードします〔図９〕。ファイルプラウザが表示され〔図１０〕「Ｃｌｉｐ  Ａ」を選択〔図１１〕、「Ｃｌｉｐ  Ａ」のロード完了〔図１２〕。
同じ手順で「Ｃｌｉｐ  Ｂ」をロードする〔図１３〕。
モニター画面に、ロードされた２つの対象映像、「Ｃｌｉｐ  Ａ」と「Ｃｌｉｐ  Ｂ」の映像とそのボタンが表示される。、新たに、「Ａｎａｌｙｚｅ（解析）」ボタンが表示され、解析の準備が出来ます〔図１４〕。
「Ａｎａｌｙｚｅ（解析）」ボタンを押して〔図１５〕、２つの映像の解析をします〔図１６〕。
モニター画面の右下に、解析結果画像が表示されます。これが、目的の映像、動作同時比較解析映像である。また、「Ｐｌａｙ  Ｒｅｓｕｌｔ（解析映像再生）」と「Ｅｘｐｏｒｔ  ｔｏ  Ｃａｍｃｏｒｄｅｒ（画像をビデオカメラに戻す）」の二つのボタンが表示される〔図１７〕。
「Ｐｌａｙ  Ｒｅｓｕｌｔ」ボタンを押すと〔図１８〕、「Ｓ−Ｂｏｘ」のモニター画面に動作同時比較解析映像が再生されます〔図１９〕。
「Ｅｘｐｏｒｔ  ｔｏ  Ｃａｍｃｏｒｄｅｒ（ビデオカメラに映像を戻す）」ボタンを押すと〔図２０〕、解析映像がビデオカメラに取り込まれ〔図２１〕，ビデオカメラのモニター画面で再生されます〔図２２〕。
また、ＴＶモニターに接続して大画面での再生も出来ます〔図２３〕。
２．動画残像解析
１，の複数動画同時比較解析と同じ手順で、対象映像を「Ｓ−Ｂｏｘ」に取り込み，コピーします。「Ｓ−Ｂｏｘ」のモニター画面に対象映像「ＣｌｉｐＡ」の画面と「Ｌｏａｄ  Ｃｌｉｐ  Ａ」のボタンが表示される〔図２４〕。
「Ｌｏａｄ  Ｃｌｉｐ  Ａ」のボタンを押して，映像「Ｃｌｉｐ  Ａ」をロードする。モニター画面にロードされた「Ｃｌｉｐ  Ａ」の映像と新たに、「Ｓｅｌｅｃｔ  Ｒｅｇｉｏｎ（映像を選ぶ）」ボタンと「Ａｎａｌｙｚｅ（解析）」ボタンが表示され、解析の準備が出来ます〔図２５〕。
「Ｓｅｌｅｃｔ  Ｒｅｇｉｏｎ」ボタンを押して〔図２６〕対象映像を選びます〔図２７〕。
「Ａｎａｌｙｚｅ（解析）」ボタンを押して〔図２８〕，対象映像の解析をします〔図２９〕。
モニター画面右下に目的の残像解析映像が表示されます。新たに再生ボタン「Ｐｌａｙ  Ｒｅｓｕｌｔ」と解析映像をデジタルビデオカメラに戻す「Ｅｘｐｏｒｔ  ｔｏ  Ｃａｍｃｏｒｄｅｒ」ボタンが表示されます〔図３０〕。
「Ｐｌａｙ  Ｒｅｓｕｌｔ」ボタンを押して、「Ｓ−Ｂｏｘ」モニター画面で解析映像を再生〔図３１〕。
＊デジタルビデオカメラ，ＴＶモニター等での再生は１，の同時比較解析と同じ。
【符号の説明】
【０００８】（１）電源ボタン
（２）ステレオスピーカー
（３）ＳＤメモリーカード
（４）ＬＣＤタッチスクリーン（モニター画面）
（５）ヘッドフォーン端子
（６）ファイアーワイヤー
（７）ＵＳＢ
（８）メモリカード挿入端子
（９）ＡＣアダプター
（１０）バッテリー
（１１）ＣＰＵ＆メモリ（ＣＯＭボード）
【図１】
2013198147.tif 000008
【図２】
2013198147.tif 000009
【図３】
2013198147.tif 000010
【図４】
2013198147.tif 000011
【図５】
2013198147.tif 000012
【図６】
2013198147.tif 000013
【図７】
2013198147.tif 000014
【図８】
2013198147.tif 000015
【図９】
2013198147.tif 000016
【図１０】
2013198147.tif 000017
【図１１】
2013198147.tif 000018
【図１２】
2013198147.tif 000019
【図１３】
2013198147.tif 000020
【図１４】
2013198147.tif 000021
【図１５】
2013198147.tif 000022
【図１６】
2013198147.tif 000023
【図１７】
2013198147.tif 000024
【図１８】
2013198147.tif 000025
【図１９】
2013198147.tif 000026
【図２０】
2013198147.tif 000027
【図２１】
2013198147.tif 000028
【図２２】
2013198147.tif 000029
【図２３】
2013198147.tif 000030
【図２４】
2013198147.tif 000031
【図２５】
2013198147.tif 000032
【図２６】
2013198147.tif 000033
【図２７】
2013198147.tif 000034
【図２８】
2013198147.tif 000035
【図２９】
2013198147.tif 000036
【図３０】
2013198147.tif 000037
【図３１】
2013198147.tif 000038